(57)【特許請求の範囲】
【請求項１】
操作部と、
原稿を読み取り画像データを生成する画像読取部と、
ネットワークを介して前記画像データを外部の情報処理装置に送信する通信部と、
前記画像データを送信すべき共有フォルダを前記情報処理装置に設定し、かつ、前記共有フォルダの情報を前記情報処理装置に着脱可能に接続されたリムーバブル記憶装置に書き込む処理を前記情報処理装置に実行させるためのプログラムを保持する記憶部と、
前記リムーバブル記憶装置を着脱可能に接続し、前記リムーバブル記憶装置のデータの読み書きを行うインターフェースと、
前記操作部、前記画像読取部、前記通信部、前記記憶部および前記インターフェースを制御する制御部とを備え、
前記制御部は、前記リムーバブル記憶装置が前記インターフェースに接続され、かつ、前記操作部から予め定められた書込指令を受け付けたとき、前記プログラムおよび前記画像データの送信元のアドレス情報を前記リムーバブル記憶装置に書き込み、
前記プログラムは、前記リムーバブル記憶装置に保持された状態で前記情報処理装置に接続されて実行されたとき、前記情報処理装置に前記共有フォルダを設定し、かつ、前記共有フォルダの情報を前記リムーバブル記憶装置に書き込む処理を前記情報処理装置に実行させ、
前記制御部は、前記共有フォルダの情報を保持した前記リムーバブル記憶装置が前記インターフェースに接続され、かつ、前記操作部から予め定められた設定指令を受け付けたとき、前記共有フォルダの情報に基づき、前記共有フォルダへのネットワークの接続を行い、
前記プログラムは、前記リムーバブル記憶装置に保持された状態で２以上の前記情報処理装置に順次接続されて実行されたとき、前記２以上の情報処理装置にそれぞれ対応する前記共有フォルダを設定し、かつ、前記２以上の情報処理装置にそれぞれ対応する前記共有フォルダの情報を前記リムーバブル記憶装置に書き込む処理を前記２以上の情報処理装置に実行させ、
前記制御部は、前記２以上の共有フォルダの情報を保持した前記リムーバブル記憶装置が前記インターフェースに接続され、かつ、前記操作部から予め定められた指令を受け付けたとき、前記２以上の共有フォルダの情報に基づき、前記２以上の共有フォルダへのネットワークの接続を行うことを特徴とする画像形成装置。
【請求項２】
操作部と、
原稿を読み取り画像データを生成する画像読取部と、
ネットワークを介して前記画像データを外部の情報処理装置に送信する通信部と、
前記画像データを送信すべき共有フォルダを前記情報処理装置に設定し、かつ、前記共有フォルダの情報を前記情報処理装置に着脱可能に接続されたリムーバブル記憶装置に書き込む処理を前記情報処理装置に実行させるためのプログラムを保持する記憶部と、
前記リムーバブル記憶装置を着脱可能に接続し、前記リムーバブル記憶装置のデータの読み書きを行うインターフェースと、
前記操作部、前記画像読取部、前記通信部、前記記憶部および前記インターフェースを制御する制御部とを備えた画像形成装置であって、
前記制御部は、前記リムーバブル記憶装置が前記インターフェースに接続され、かつ、前記操作部から予め定められた指令を受け付けたとき、前記リムーバブル記憶装置が前記共有フォルダの情報を保持しているか否かをチェックし、前記リムーバブル記憶装置が前記共有フォルダの情報を保持している場合、前記共有フォルダの情報に基づき、前記共有フォルダへのネットワークの接続を行い、一方、前記リムーバブル記憶装置が前記共有フォルダの情報を保持していない場合、前記リムーバブル記憶装置に前記プログラムおよび前記画像データの送信元のアドレス情報を書き込み、
前記リムーバブル記憶装置が、２以上の前記画像形成装置に係る２以上のプログラムを保持している場合、
前記プログラムは、前記２以上のプログラムのうち、いずれのプログラムを実行すべきかを選択させる設定画面を表示させる処理を前記情報処理装置に実行させることを特徴とする画像形成装置。
【請求項３】
操作部と、
原稿を読み取り画像データを生成する画像読取部と、
ネットワークを介して前記画像データを外部の情報処理装置に送信する通信部と、
前記画像データを送信すべき共有フォルダを前記情報処理装置に設定し、かつ、前記共有フォルダの情報を前記情報処理装置に着脱可能に接続されたリムーバブル記憶装置に書き込む処理を前記情報処理装置に実行させるためのプログラムを保持する記憶部と、
前記リムーバブル記憶装置を着脱可能に接続し、前記リムーバブル記憶装置のデータの読み書きを行うインターフェースと、
前記操作部、前記画像読取部、前記通信部、前記記憶部および前記インターフェースを制御する制御部とを備え、
前記制御部は、前記リムーバブル記憶装置が前記インターフェースに接続され、かつ、前記操作部から予め定められた指令を受け付けたとき、前記リムーバブル記憶装置が前記共有フォルダの情報を保持しているか否かをチェックし、前記リムーバブル記憶装置が前記共有フォルダの情報を保持している場合、前記共有フォルダの情報に基づき、前記共有フォルダへのネットワークの接続を行い、一方、前記リムーバブル記憶装置が前記共有フォルダの情報を保持していない場合、前記リムーバブル記憶装置に前記プログラムおよび前記画像データの送信元のアドレス情報を書き込むことを特徴とする画像形成装置。
【請求項４】
前記プログラムは、前記リムーバブル記憶装置に保持された状態で２以上の前記情報処理装置に順次接続されて実行されたとき、前記２以上の情報処理装置にそれぞれ対応する前記共有フォルダを設定し、かつ、前記２以上の情報処理装置にそれぞれ対応する前記共有フォルダの情報を前記リムーバブル記憶装置に書き込む処理を前記２以上の情報処理装置に実行させ、
前記制御部は、前記２以上の共有フォルダの情報を保持した前記リムーバブル記憶装置が前記インターフェースに接続され、かつ、前記操作部から予め定められた指令を受け付けたとき、前記２以上の共有フォルダの情報に基づき、前記２以上の共有フォルダへのネットワークの接続を行う、請求項２または３に記載の画像形成装置。
【請求項５】
前記リムーバブル記憶装置が、２以上の前記画像形成装置に係る２以上のプログラムを保持している場合、
前記プログラムは、前記２以上のプログラムのうち、いずれのプログラムを実行すべきかを選択させる設定画面を表示させる処理を前記情報処理装置に実行させる、請求項１または３に記載の画像形成装置。
【請求項６】
前記制御部は、前記共有フォルダへのネットワークの接続を行った後、前記共有フォルダに係る前記プログラムおよび前記共有フォルダの情報を前記リムーバブル記憶装置から削除する、請求項１〜５のいずれか１つに記載の画像形成装置。
【請求項７】
ネットワークを介して画像形成装置で読み取った画像データを外部の情報処理装置に送信するための設定を行うネットワークスキャナ設定方法であって、
画像形成装置のインターフェースにリムーバブル記憶装置が接続され、かつ、予め定められた指令を受け付けたとき、前記情報処理装置に実行させるためのプログラムおよび前記画像データの送信元のアドレス情報を前記リムーバブル記憶装置に書き込み、
前記リムーバブル記憶装置が前記情報処理装置に接続されて前記プログラムが実行されたとき、前記情報処理装置に共有フォルダを設定し、かつ、前記共有フォルダの情報を前記リムーバブル記憶装置に書き込み、
前記共有フォルダの情報を保持した前記リムーバブル記憶装置が前記インターフェースに接続され、かつ、操作部から予め定められた指令を受け付けたとき、前記共有フォルダの情報に基づき、前記共有フォルダへのネットワークの接続を行い、
前記プログラムは、前記リムーバブル記憶装置に保持された状態で２以上の前記情報処理装置に順次接続されて実行されたとき、前記２以上の情報処理装置にそれぞれ対応する前記共有フォルダを設定し、かつ、前記２以上の情報処理装置にそれぞれ対応する前記共有フォルダの情報を前記リムーバブル記憶装置に書き込む処理を前記２以上の情報処理装置に実行させ、
前記２以上の共有フォルダの情報を保持した前記リムーバブル記憶装置が前記インターフェースに接続され、かつ、前記操作部から予め定められた指令を受け付けたとき、前記２以上の共有フォルダの情報に基づき、前記２以上の共有フォルダへのネットワークの接続を行うことを特徴とするネットワークスキャナ設定方法。
【請求項８】
ネットワークを介して画像形成装置で読み取った画像データを外部の情報処理装置に送信するための設定を行うネットワークスキャナ設定方法であって、
画像形成装置のインターフェースにリムーバブル記憶装置が接続され、かつ、予め定められた指令を受け付けたとき、前記情報処理装置に実行させるためのプログラムおよび前記画像データの送信元のアドレス情報を前記リムーバブル記憶装置に書き込み、
前記リムーバブル記憶装置が前記情報処理装置に接続されて前記プログラムが実行されたとき、前記情報処理装置に共有フォルダを設定し、かつ、前記共有フォルダの情報を前記リムーバブル記憶装置に書き込み、
前記共有フォルダの情報を保持した前記リムーバブル記憶装置が前記インターフェースに接続され、かつ、操作部から予め定められた指令を受け付けたとき、前記共有フォルダの情報に基づき、前記共有フォルダへのネットワークの接続を行い、
前記リムーバブル記憶装置が、２以上の前記画像形成装置に係る２以上のプログラムを保持している場合、
前記プログラムは、前記２以上のプログラムのうち、いずれのプログラムを実行すべきかを選択させる設定画面を表示させる処理を前記情報処理装置に実行させることを特徴とするネットワークスキャナ設定方法。
【発明の詳細な説明】
【技術分野】
【０００１】
この発明は、画像形成装置およびネットワークスキャナ設定方法に関し、より詳細には、ネットワークスキャナ機能を備えた画像形成装置およびネットワークスキャナ設定方法に関する。
【背景技術】
【０００２】
ネットワークに接続されたパーソナルコンピュータ（ＰＣ）やプリンタ等の機器には、それらを識別するためのＩＰアドレスが割り当てられている。
しかしながら、事務所の移転やプロバイダの変更等により、ネットワークの環境が変化した場合、これらのＩＰアドレス等のネットワークの設定も変更しなければならず、ネットワークの設定に不慣れなユーザーにとっては大きな負担となっていた。
【０００３】
このような問題に関連する発明として、従来、複合機のネットワークプリンタ設定とドライバインストーラを複合機からＵＳＢメモリに書き出し、その後ＰＣに接続してドライバインストーラを実行することで、自動的に設定を行う発明が提案されている（例えば、特許文献１を参照）。
【先行技術文献】
【特許文献】
【０００４】
【特許文献１】特開２０１１−７３１９７号公報
【発明の概要】
【発明が解決しようとする課題】
【０００５】
ところで、ネットワークプリンタと同様に、スキャナの場合も、原稿を読み取って得られた画像データをＰＣの共有フォルダに送信するネットワークスキャナ機能が存在する。
【０００６】
しかしながら、ＰＣ側の設定だけで即利用可能となるネットワークプリンタと異なり、ネットワークスキャナの利用には、ＰＣ側で共有フォルダの作成・設定をするだけでは足りず、共有フォルダのパスやパスワード等の情報をユーザーが記憶しておき、ＰＣ側で設定したのと同様の設定をスキャナ側でも行う必要がある。
【０００７】
それゆえ、ネットワークの設定に不慣れなユーザーの負担を減らすべく、簡単な手順でネットワークスキャナの設定を行うことができる新たな画像形成装置が求められていた。
【０００８】
この発明は、以上のような事情を考慮してなされたものであって、その目的は、簡単な手順でネットワークスキャナ設定を行うことが可能な画像形成装置およびネットワークスキャナ設定方法を提供することにある。
【課題を解決するための手段】
【０００９】
この発明は、操作部と、原稿を読み取り画像データを生成する画像読取部と、ネットワークを介して前記画像データを外部の情報処理装置に送信する通信部と、前記画像データを送信すべき共有フォルダを前記情報処理装置に設定し、かつ、前記共有フォルダの情報を前記情報処理装置に着脱可能に接続されたリムーバブル記憶装置に書き込む処理を前記情報処理装置に実行させるためのプログラムを保持する記憶部と、前記リムーバブル記憶装置を着脱可能に接続し、前記リムーバブル記憶装置のデータの読み書きを行うインターフェースと、前記操作部、前記画像読取部、前記通信部、前記記憶部および前記インターフェースを制御する制御部とを備え、前記制御部は、前記リムーバブル記憶装置が前記インターフェースに接続され、かつ、前記操作部から予め定められた書込指令を受け付けたとき、前記プログラムおよび前記画像データの送信元のアドレス情報を前記リムーバブル記憶装置に書き込み、前記プログラムは、前記リムーバブル記憶装置に保持された状態で前記情報処理装置に接続されて実行されたとき、前記情報処理装置に前記共有フォルダを設定し、かつ、前記共有フォルダの情報を前記リムーバブル記憶装置に書き込む処理を前記情報処理装置に実行させ、前記制御部は、前記共有フォルダの情報を保持した前記リムーバブル記憶装置が前記インターフェースに接続され、かつ、前記操作部から予め定められた設定指令を受け付けたとき、前記共有フォルダの情報に基づき、前記共有フォルダへのネットワークの接続を行うことを特徴とする画像形成装置を提供するものである。
また、この発明は、操作部と、原稿を読み取り画像データを生成する画像読取部と、ネットワークを介して前記画像データを外部の情報処理装置に送信する通信部と、前記画像データを送信すべき共有フォルダを前記情報処理装置に設定し、かつ、前記共有フォルダの情報を前記情報処理装置に着脱可能に接続されたリムーバブル記憶装置に書き込む処理を前記情報処理装置に実行させるためのプログラムを保持する記憶部と、前記リムーバブル記憶装置を着脱可能に接続し、前記リムーバブル記憶装置のデータの読み書きを行うインターフェースと、前記操作部、前記画像読取部、前記通信部、前記記憶部および前記インターフェースを制御する制御部とを備え、前記制御部は、前記リムーバブル記憶装置が前記インターフェースに接続され、かつ、前記操作部から予め定められた指令を受け付けたとき、前記リムーバブル記憶装置が前記共有フォルダの情報を保持しているか否かをチェックし、前記リムーバブル記憶装置が前記共有フォルダの情報を保持している場合、前記共有フォルダの情報に基づき、前記共有フォルダへのネットワークの接続を行い、一方、前記リムーバブル記憶装置が前記共有フォルダの情報を保持していない場合、前記リムーバブル記憶装置に前記プログラムおよび前記画像データの送信元のアドレス情報を書き込むことを特徴とする画像形成装置を提供するものである。
また、この発明は、ネットワークを介して画像形成装置で読み取った画像データを外部の情報処理装置に送信するための設定を行うネットワークスキャナ設定方法であって、画像形成装置のインターフェースにリムーバブル記憶装置が接続され、かつ、予め定められた指令を受け付けたとき、前記情報処理装置に実行させるためのプログラムおよび前記画像データの送信元のアドレス情報を前記リムーバブル記憶装置に書き込み、前記リムーバブル記憶装置が前記情報処理装置に接続されて前記プログラムが実行されたとき、前記情報処理装置に共有フォルダを設定し、かつ、前記共有フォルダの情報を前記リムーバブル記憶装置に書き込み、前記共有フォルダの情報を保持した前記リムーバブル記憶装置が前記インターフェースに接続され、かつ、操作部から予め定められた指令を受け付けたとき、前記共有フォルダの情報に基づき、前記共有フォルダへのネットワークの接続を行うことを特徴とするネットワークスキャナ設定方法を提供するものである。
【発明の効果】
【００１０】
この発明によれば、簡単な手順でネットワークスキャナ設定を行うことが可能な画像形成装置およびネットワークスキャナ設定方法を実現できる。
【図面の簡単な説明】
【００１１】
【図１】この発明の画像形成装置を含むネットワークスキャナシステムの概略構成を示す説明図である。（実施形態１）
【図２】図１に示す画像形成装置の概略構成を示すブロック図である。（実施形態１）
【図３】図１に示すＰＣの概略構成を示すブロック図である。（実施形態１）
【図４】図１に示すリムーバブル記憶媒体の概略構成を示すブロック図である。（実施形態１）
【図５】図１に示す画像形成装置のネットワークスキャナの設定手順の概要を示す説明図である。（実施形態１）
【図６】この発明の実施形態２に係る画像形成装置のネットワークスキャナの設定手順を示すフローチャートである。（実施形態２）
【図７】この発明の実施形態２に係る画像形成装置のネットワークスキャナの設定手順を示すフローチャートである。（実施形態２）
【図８】この発明の画像形成装置の一例としてのデジタル複合機の外観を示す斜視図である。（実施形態１）
【図９】図８に示すデジタル複合機の平面図である。（実施形態２）
【図１０】図８に示すデジタル複合機のパネルユニットの一例を示す説明図である。（実施形態２）
【図１１】図８に示すデジタル複合機のネットワークスキャナの設定手順の一例を示す説明図である。（実施形態２）
【図１２】図８に示すデジタル複合機のネットワークスキャナの設定手順の一例を示す説明図である。（実施形態２）
【図１３】図８に示すデジタル複合機のネットワークスキャナの設定手順の一例を示す説明図である。（実施形態２）
【図１４】図８に示すデジタル複合機のネットワークスキャナの設定手順の一例を示す説明図である。（実施形態２）
【図１５】この発明の実施形態３に係る画像形成装置のネットワークスキャナの設定手順の概要を示す説明図である。（実施形態３）
【図１６】この発明の実施形態４に係る画像形成装置のネットワークスキャナの設定手順の概要を示す説明図である。（実施形態４）
【図１７】この発明の実施形態５に係る画像形成装置のネットワークスキャナの設定手順の概要を示す説明図である。（実施形態５）
【発明を実施するための形態】
【００１２】
以下、図面を用いてこの発明をさらに詳述する。なお、以下の説明は、すべての点で例示であって、この発明を限定するものと解されるべきではない。
【００１３】
〔実施形態１〕
＜ネットワークスキャナシステム１００の概略構成＞
図１に基づき、この発明の画像形成装置１を含むネットワークスキャナシステム１００の構成について説明する。
図１は、この発明の画像形成装置を含むネットワークスキャナシステム１００の概略構成を示す説明図である。
【００１４】
図１に示されるように、ネットワークスキャナシステム１００は、画像形成装置１、ＰＣ２およびネットワーク４から構成される。
【００１５】
画像形成装置１は、スキャナまたはスキャナ機能を有するＭＦＰ（Multifunction Peripheral：多機能周辺装置）など、原稿を読み取って生成した画像データを出力する装置である。
【００１６】
ＰＣ２は、情報を処理する装置である。画像形成装置１のスキャン機能によって生成された画像データは、有線または無線のネットワーク４を経由してＰＣ２に出力される。
図１には、１台のＰＣ２のみが示されているが、複数台のＰＣ２が含まれていてもよい。
【００１７】
ネットワーク４としては、ＬＡＮ、インターネットなどの広域ネットワーク（ＷＡＮ）、専用の通信回線などいずれのネットワークを利用してもよい。
【００１８】
この発明においては、ＵＳＢメモリ３等のリムーバブル記憶媒体を介して、ネットワークスキャナシステム１００を手軽に構築する方法について説明する。
【００１９】
＜画像形成装置１の概略構成＞
次に、図２に基づき、画像形成装置１の概略構成を説明する。
図２は、図１に示す画像形成装置１の概略構成を示すブロック図である。
図２に示すように、この発明の画像形成装置１は、制御部１０、画像読取部１１、画像形成部１２、記憶部１３、画像処理部１４、通信部１５、給紙部１６、計時部１７、パネルユニット１８およびＵＳＢ Ｉ／Ｆ部１９を備える。
【００２０】
第１実施形態において、この発明の「情報処理装置」は、ＰＣ２によって実現する。また、この発明の「インターフェース」は、ＵＳＢ Ｉ／Ｆ部１９によって実現する。また、この発明の「リムーバブル記憶装置」は、ＵＳＢメモリ３によって実現する。
【００２１】
以下、画像形成装置１の各構成要素を説明する。
【００２２】
制御部１０は、画像形成装置１の各構成要素の動作を制御する部分である。主として、ＣＰＵ、ＲＯＭ、ＲＡＭ、Ｉ／Ｏコントローラ、タイマー等からなるマイクロコンピュータによって実現される。制御部１０は、ＣＰＵあるいはマイクロプロセッサ(Microprocessor)を主体とする回路である。制御部１０は、ＲＯＭ等に予め格納された制御プログラムに基づいて、各ハードウェアを有機的に動作させて、後述するようなこの発明のネットワークスキャナ設定機能を実行する。
なお、周辺回路として、特定の用途のために設計、製造される集積回路であるＡＳＩＣ（Application Specific Integrated Circuit）、その他の演算機能を有する回路を含んでいてもよい。
【００２３】
画像読取部１１は、原稿台に置かれた原稿や原稿トレイから搬送されてきた原稿を検知して読み取り、適正な電気信号に変換して画像データを生成する部分である。
【００２４】
画像形成部１２は、画像読取部１１によって生成され、画像処理部１４によって処理された画像データを用紙上に印刷出力する部分であり、ＬＳＵ１２１を備える。
ＬＳＵ１２１は、画像読取部１１によって取得されたデジタル信号からなる画像情報に対応するレーザー光を、帯電状態にある感光体ドラムの表面に照射して、静電潜像を形成する装置である。
【００２５】
記憶部１３は、画像形成装置１の各種機能を実現するために必要な情報や、制御プログラムなどを記憶する素子や記憶媒体である。例えば、ＲＡＭやＲＯＭ等の半導体素子、ハードディスク、フラッシュ記憶部、ＳＳＤ等の記憶媒体が用いられる。
なお、データを保持する領域がハードディスクドライブで、プログラムを保持する領域がフラッシュ記憶部で構成するといったように、プログラムとデータが異なる装置に保持されてもよい。
【００２６】
画像処理部１４は、画像読取部１１から入力された画像データを操作部１８２からの指令に従い、拡大・縮小等の出力に適するように処理を行う部分である。
【００２７】
通信部１５は、ネットワーク４等を介して、コンピュータや携帯情報端末等の外部の情報処理装置やファクシミリ装置等との通信をおこない、メールやＦＡＸなどの種々の情報をこれら外部の通信装置と送受信する部分である。
【００２８】
給紙部１６は、給紙カセット、手差トレイに格納された用紙を画像形成部１２まで搬送する部分である。
【００２９】
計時部１７は、時間を計測する部分であり、例えば、内蔵時計やネットワーク４を通じて時刻を取得する。
【００３０】
パネルユニット１８は、液晶ディスプレイ（Liquid Crystal Display）を備えたユニットであり、表示部１８１および操作部１８２を備える。
【００３１】
表示部１８１は、各種情報の表示を行う部分である。表示部１８１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。制御部１０は、表示部１８１を通じて、画像形成装置１の動作および状態の表示を行う。
【００３２】
操作部１８２は、画像形成装置１を操作するためのインターフェースであり、タッチパネル１８２１および表示操作部１８２２を備え、ユーザーからの指令を受け付ける部分である。
画像形成装置１は、操作部１８２や通信部１５を介して受付けたユーザーからの指示に基づき、スキャナ、印刷、コピーまたは画像送信（Scan to Desktop, Scan to Email, Scan to FTP, Scan to 共有フォルダ）等のジョブを実行する。
【００３３】
タッチパネル１８２１は、液晶パネル等から構成された表示パネルと、表示パネルに重ねて配置され、指がタッチされた位置を検出する静電容量方式等のタッチパネルとから構成される。
【００３４】
ＵＳＢ Ｉ／Ｆ部１９は、ＵＳＢメモリ３を着脱可能に接続する接続端子１９１を備え、接続端子１９１に接続されたＵＳＢメモリ３を検出して、ＵＳＢメモリ３のデータの読み書きを行う部分である。
【００３５】
＜ＰＣ２の概略構成＞
次に、図３に基づき、ＰＣ２の概略構成を説明する。
図３は、図１に示すＰＣ２の概略構成を示すブロック図である。
【００３６】
図３に示されるように、この発明のＰＣ２は、制御部２０、記憶部２１、画像処理部２２、通信部２３、表示部２４、操作部２５およびＵＳＢ Ｉ／Ｆ部２６を備える。
また、ＵＳＢ Ｉ／Ｆ部２６は、接続端子２６１を備える。
【００３７】
なお、制御部２０、記憶部２１、画像処理部２２、通信部２３、表示部２４およびＵＳＢ Ｉ／Ｆ部２６は、それぞれ、図２の制御部１０、記憶部１３、画像処理部１４、通信部１５、表示部１８１およびＵＳＢ Ｉ／Ｆ部１９と同様の構成を有するため、説明を省略する。
【００３８】
操作部２５は、ＰＣ２の操作を行うためのインターフェースである。ユーザーは操作部２５を操作することによって、ＰＣ２に対する指示を実行する。操作部２５は、複数のキーの配列からなる。また、画像形成装置１と同様にタッチパネルを有するものであってもよい。
【００３９】
＜ＵＳＢメモリ３の概略構成＞
次に、図４に基づき、ＵＳＢメモリ３の概略構成を説明する。
図４は、図１に示すＵＳＢメモリ３の概略構成を示すブロック図である。
【００４０】
図４に示されるように、この発明のＵＳＢメモリ３は、制御部３０、記憶部３１および接続端子３２を備える。
【００４１】
なお、制御部３０および記憶部３１は、それぞれ、図２の制御部１０および記憶部１３と同様の構成を有するため、説明を省略する。
【００４２】
接続端子３２は、画像形成装置１の接続端子１９１またはＰＣ２の接続端子２６１と接続可能な端子である。接続端子３２が接続端子１９１または接続端子２６１に接続されたとき、接続端子３２を介して画像形成装置１またはＰＣ２とデータの送受信を行う。
【００４３】
＜ネットワークスキャナの設定＞
次に、図５に基づき、それぞれこの発明の画像形成装置１のネットワークスキャナ設定について説明する。
図５は、図１に示す画像形成装置１のネットワークスキャナの設定手順の概要を示す説明図である。図５（Ａ）〜（Ｃ）はそれぞれ、ネットワークスキャナの設定手順の第１〜第３ステップに対応する。
【００４４】
この発明の画像形成装置１のネットワークスキャナの設定手順の大まかな流れは、図５に示すように、以下の３つのステップ（第１ステップ〜第３ステップ）からなる。
【００４５】
（第１ステップ）
画像形成装置１の接続端子１９１にＵＳＢメモリ３を接続し、タッチパネル１８２１の第１設定アイコン（「ＰＣ用設定ファイルダウンロード」アイコン）を押すことにより、画像形成装置１のＩＰアドレス等の設定データおよび共有フォルダ設定プログラムをＵＳＢメモリ３に格納する。
【００４６】
共有フォルダ設定プログラムは、画像読取部１１が読み取った画像データを送信すべき共有フォルダをＰＣ２に設定し、かつ、設定した共有フォルダの情報をＰＣ２に着脱可能に接続されたＵＳＢメモリ３に書き込む処理をＰＣ２に実行させるためのプログラムである。
共有フォルダ設定プログラムは、記憶部１３に予め格納していてもよいし、また、ネットワーク４を介して通信部１５からダウンロードするようにしてもよい。
【００４７】
（第２ステップ）
次に、ＰＣ２の接続端子２６１にＵＳＢメモリ３を接続し、ＵＳＢメモリ３内に格納された共有フォルダ設定プログラムを実行することにより、共有フォルダ設定または確認が行われ、ＰＣ２の共有フォルダ情報がＵＳＢメモリ３に格納される。
【００４８】
（第３ステップ）
最後に、画像形成装置１の接続端子１９１にＵＳＢメモリ３を再び接続し、タッチパネル１８２１の第２設定アイコン１８２１２（「ネットワークスキャナ設定」アイコン）を押すことにより、ＰＣ２の共有フォルダ情報を読み出し、ネットワークスキャナの設定を行う。
【００４９】
このように、ユーザーは、ＵＳＢメモリ３を用いて上記３ステップに従って設定を行うことにより、簡単な手順でネットワークスキャナ設定を行うことができる。
【００５０】
（実施形態２）
次に、図６および図７に基づき、この発明の実施形態２に係る画像形成装置１のネットワークスキャナの設定手順について説明する。
図６および図７は、この発明の実施形態２に係る画像形成装置１のネットワークスキャナの設定手順を示すフローチャートである。
【００５１】
実施形態１に係る画像形成装置１のネットワークスキャナ設定は、３つのステップからなるが、画像形成装置１の接続端子１９１にＵＳＢメモリ３が接続されたとき、画像形成装置１の制御部１０は、第１〜第３ステップのいずれの段階にあるのか全く判別することができない。
【００５２】
そこで、このような問題を解決すべく、第２実施形態では、図６に示されるフローチャートの手順に従って、第１〜第３ステップの判別を行うものとする。
【００５３】
＜画像形成装置１の設定＞
図６のステップＳ１において、タッチパネル１８２１の予め定められた設定アイコン１８２１３が押された場合（ステップＳ１）、制御部１０は、接続端子１９１にＵＳＢメモリ３が接続されているか否かを判定する（ステップＳ２）。
【００５４】
ステップＳ２において、接続端子１９１にＵＳＢメモリ３が接続されていない場合（ステップＳ２の判定がＮｏの場合）、制御部１０は、ステップＳ３において、接続端子１９１にＵＳＢメモリ３の接続を促すメッセージ、または接続端子１９１にＵＳＢメモリ３が接続されていない旨のメッセージを表示部１８１に表示させる（ステップＳ３）。
その後、ステップＳ１の処理に戻る（ステップＳ１）。
【００５５】
一方、接続端子１９１にＵＳＢメモリ３が接続されている場合（ステップＳ２の判定がＹｅｓの場合）、制御部１０は、ステップＳ４において、ＵＳＢメモリ３内を検索する（ステップＳ３）。
【００５６】
続いて、制御部１０は、ステップＳ５において、検索の結果、ＵＳＢメモリ３内にＰＣ２の共有フォルダ情報が格納されているか否かを判定する（ステップＳ５）。
【００５７】
ＵＳＢメモリ３内にＰＣ２の共有フォルダ情報が格納されている場合（ステップＳ５の判定がＹｅｓの場合）、制御部１０は、ステップＳ６において、第３ステップにあるものと判断する（ステップＳ６）。
【００５８】
続くステップＳ７において、制御部１０は、ＰＣ２の共有フォルダ情報を読み込み、ネットワークスキャナの設定を行う（ステップＳ７）。
【００５９】
その後、制御部１０は、ステップＳ８において、ＵＳＢメモリ３から共有フォルダ設定プログラムおよびＰＣ２の共有フォルダ情報を削除し（ステップＳ８）、ネットワークスキャナの設定処理を終了させる。
【００６０】
一方、ステップＳ５の判定において、ＵＳＢメモリ３内にＰＣ２の共有フォルダ情報が格納されていない場合（ステップＳ５の判定がＮｏの場合）、制御部１０は、ステップＳ９において、ＵＳＢメモリ３内に共有フォルダ設定プログラムが格納されているか否かを判定する（ステップＳ９）。
【００６１】
ステップＳ９において、ＵＳＢメモリ３内に共有フォルダ設定プログラムが格納されている場合（ステップＳ９の判定がＹｅｓの場合）、制御部１０は、ステップＳ１０において、第２ステップにあるものと判断する（ステップＳ１０）。
【００６２】
続くステップＳ１１において、制御部１０は、ＵＳＢメモリ３をＰＣ２に接続して共有フォルダ設定プログラムを実行するように促すメッセージを表示部１８１に表示させる（ステップＳ１１）。
【００６３】
一方、ステップＳ９の判定において、ＵＳＢメモリ３内に共有フォルダ設定プログラムが格納されていない場合（ステップＳ９の判定がＮｏの場合）、制御部１０は、ステップＳ１２において、第１ステップにあるものと判断する（ステップＳ１２）。
【００６４】
続くステップＳ１３において、制御部１０は、画像形成装置１のＩＰアドレス等の設定データおよび共有フォルダ設定プログラムをＵＳＢメモリ３に格納する（ステップＳ１３）。
【００６５】
このように、制御部１０は、ＵＳＢメモリ３内にＰＣ２の共有フォルダ情報が格納されているか、または共有フォルダ設定プログラムが格納されているか否かに基づいて、ネットワークスキャナの設定が、第１〜第３ステップのいずれの段階にあるのかを判断し、該当するステップに応じた適切な処理を行う。それゆえ、ユーザーは、共通の設定アイコン１８２１３を押すだけで、簡便にネットワークスキャナの設定を行うことが可能となる。
【００６６】
＜ＰＣ２の設定＞
次に、ＰＣ２の設定について説明する。
ユーザーは、共有フォルダ設定プログラムが格納されたＵＳＢメモリ３をＰＣ２の接続端子２６１に接続し、共有フォルダ設定プログラムを実行する。
【００６７】
図７のステップＳ２１において、共有フォルダ設定プログラムが実行された場合（ステップＳ２１）、制御部２０は、続くステップＳ２２において、共有フォルダが既に設定されているか否かを判定する（ステップＳ２２）。
【００６８】
共有フォルダが既に設定されている場合（ステップＳ２２の判定がＹｅｓの場合）、制御部２０は、ステップＳ２３において、共有フォルダ情報を確認する（ステップＳ２３）。その後、ステップＳ２５の処理を行う（ステップＳ２５）。
【００６９】
一方、共有フォルダが既に設定されていない場合（ステップＳ２２の判定がＮｏの場合）、制御部２０は、ステップＳ２４において、共有フォルダを設定する（ステップＳ２４）。その後、ステップＳ２５の処理を行う（ステップＳ２５）。
【００７０】
次に、ステップＳ２５において、制御部２０は、共有フォルダ情報をＵＳＢメモリ３に書き込み（ステップＳ２５）、ＰＣ２での設定を終了させる。
【００７１】
＜デジタル複合機１Ｄによるネットワークスキャナの具体的な設定方法の一例＞
次に、図８〜図１４に基づき、この発明の画像形成装置１の一例としてのデジタル複合機１Ｄのネットワークスキャナの具体的な設定方法について説明する。
【００７２】
図８は、この発明の画像形成装置１の一例としてのデジタル複合機１Ｄの外観を示す斜視図である。図９は、図８に示すデジタル複合機１Ｄの平面図である。図１０は、図８に示すデジタル複合機１Ｄのパネルユニット１８の一例を示す説明図である。図１１〜図１４は、図８に示すデジタル複合機１Ｄのネットワークスキャナの設定手順の一例を示す説明図である。
【００７３】
デジタル複合機１Ｄは、画像データをデジタル処理し、複写機能やスキャナ機能、ファクシミリ機能を有する複合機やＭＦＰ（Multifunction Peripheral：多機能周辺装置）などの装置である。
【００７４】
図８および図９に示されるように、デジタル複合機１Ｄは、上面の一部にパネルユニット１８を備える。
【００７５】
図１０に示されるように、パネルユニット１８は、表示部１８１、操作部１８２および接続端子１９１を備え、操作部１８２は、タッチパネル１８２１および表示操作部１８２２から構成される。
【００７６】
表示操作部１８２２は、表示灯１８２２１、電源キー１８２２２、節電キー１８２２３およびホームキー１８２２４を備える。
ホームキー１８２２４は、動作モードを選択するホーム画面に表示部１８１の表示画面を戻すためのキーである。
【００７７】
ユーザーは、デジタル複合機１Ｄのパネルユニット１８の近傍に設けられた接続端子１９１にＵＳＢメモリ３の接続端子３２を挿入する。
【００７８】
続いて、ユーザーがタッチパネル１８２１に表示された設定アイコン１８２１３（「簡単インストール」アイコン）を押したとき、制御部１０は、ＵＳＢメモリ３内にＰＣ２の共有フォルダ情報または画像形成装置１の共有フォルダ設定プログラムが格納されているか否かによって、異なる処理を行う。
【００７９】
ＵＳＢメモリ３内にＰＣ２の共有フォルダ情報および画像形成装置１の共有フォルダ設定プログラムのいずれも格納されていない場合、制御部１０は、第１ステップにあるものと判断し、図１１に示されるように、接続端子１９１を介して、ＵＳＢメモリ３にデジタル複合機１ＤのＩＰアドレス等の設定データや共有フォルダ設定プログラムを格納する。
【００８０】
また、このとき、制御部１０は、共有フォルダ設定プログラムをＵＳＢメモリ３にダウンロードしている旨、およびダウンロード後にＵＳＢメモリ３をネットワークスキャナの設定対象となるＰＣ２に接続し、共有フォルダ設定プログラムを実行すべき旨のメッセージを表示部１８１に表示させる。
【００８１】
一方、ＵＳＢメモリ３内に画像形成装置１の共有フォルダ設定プログラムのみが格納されている場合、制御部１０は、第２ステップにあるものと判断し、図１２に示されるように、ＵＳＢメモリ３をネットワークスキャナの設定対象となるＰＣ２に接続して共有フォルダ設定プログラムを実行すべき旨のメッセージを表示部１８１に表示させる。
【００８２】
次に、図１３に示されるように、ユーザーは、ＰＣ２の側部に設けられた接続端子２６１に、デジタル複合機１ＤのＩＰアドレス等の設定データおよび共有フォルダ設定プログラムが格納されたＵＳＢメモリ３の接続端子３２を挿入する。
【００８３】
続いて、ユーザーがＵＳＢメモリ３内に格納された共有フォルダ設定プログラムを実行すると、制御部２０は、共有フォルダの設定または確認を行い、共有フォルダ情報を読み出してＵＳＢメモリ３内に書き込む。
【００８４】
次に、ユーザーは、図１４に示されるように、デジタル複合機１Ｄの接続端子１９１にＵＳＢメモリ３の接続端子３２を挿入し、タッチパネル１８２１に表示された設定アイコン１８２１３（「簡単インストール」アイコン）を押す。
【００８５】
ＵＳＢメモリ３内にＰＣ２の共有フォルダ情報が格納されている場合、制御部１０は、第３ステップにあるものと判断し、接続端子１９１を介して、ＵＳＢメモリ３からＰＣ２の共有フォルダ情報を読み込み、ネットワークスキャナ設定を行う。
【００８６】
また、このとき、制御部１０は、ネットワークスキャナの設定を行っている旨のメッセージを表示部１８１に表示させる。
【００８７】
このように、ユーザーは、ＵＳＢメモリ３の中身を確認することなく、共通の設定アイコン１８２１３を押すだけで、第１〜第３ステップの段階に応じた適切なネットワークスキャナの設定が行われる。また、第１ステップおよび第３ステップにおいて、共通の設定アイコン１８２１３を用いることにより、実施形態１のように２種類の設定アイコン（第１設定アイコン１８２１１および第２設定アイコン）を表示させる必要がなくなるため、ユーザーにとって簡潔なだけでなく、表示部１８１の表示スペースの節約にもなる。
【００８８】
（実施形態３）
次に、図１５に基づき、この発明の実施形態３に係る画像形成装置１のネットワークスキャナの設定手順の概要について説明する。
図１５は、この発明の実施形態３に係る画像形成装置１のネットワークスキャナの設定手順の概要を示す説明図である。
【００８９】
実施形態３は、１台の画像形成装置１に対し、複数台のＰＣ２Ａ〜２Ｃのネットワークスキャナ設定を行う点で、実施形態１および２と異なる。
以下、実施形態３に係るネットワークスキャナの設定手順の大まかな流れを説明する。
【００９０】
（第１ステップ）
画像形成装置１の接続端子１９１にＵＳＢメモリ３を接続し、タッチパネル１８２１の設定アイコン１８２１３（「簡単インストール」アイコン）を押すことにより、画像形成装置１のＩＰアドレス等の設定データおよび共有フォルダ設定プログラムをＵＳＢメモリ３に格納する。
【００９１】
（第２ステップ）
次に、ＰＣ２Ａ〜２Ｃの接続端子２６１に順次、ＵＳＢメモリ３を接続してＵＳＢメモリ３内に格納された共有フォルダ設定プログラムを実行することにより、各ＰＣ２Ａ〜２Ｃで共有フォルダ設定または確認が行われ、ＰＣ２Ａ〜２Ｃの合計３つの共有フォルダ情報がＵＳＢメモリ３に格納される。
【００９２】
（第３ステップ）
最後に、画像形成装置１の接続端子１９１にＵＳＢメモリ３を再び接続し、タッチパネル１８２１の設定アイコン１８２１３（「簡単インストール」アイコン）を押すことにより、ＰＣ２Ａ〜２Ｃの共有フォルダ情報を読み出し、ネットワークスキャナの設定を行う。
【００９３】
このように、１台の画像形成装置１に対して複数台のＰＣ２Ａ〜２Ｃを設定する場合も、実施形態１と同様の手順でネットワークスキャナの設定を行うことができる。特に、ステップ３においては、設定アイコン１８２１３（「簡単インストール」アイコン）を１回押すだけで、ＰＣ２Ａ〜２Ｃの各共有フォルダの設定を一括して行うため、ユーザーにとって設定が容易なネットワークスキャナの設定が実現できる。
【００９４】
なお、ＵＳＢメモリ３は、必ずしも１つである必要はなく、複数のＵＳＢメモリ３を使い分けて設定を行うようにしてもよい。例えば、ＰＣ２Ａのユーザーは、自分のＵＳＢメモリ３Ａを用いてネットワークスキャナの設定を行う一方で、ＰＣ２Ｂのユーザーは、ＰＣ２Ｃのユーザーと共通のＵＳＢメモリ３Ｂを用いてネットワークスキャナの設定を行うことなどが考えられる。
【００９５】
（実施形態４）
次に、図１６に基づき、この発明の実施形態４に係る画像形成装置１Ａ〜１Ｃのネットワークスキャナの設定手順の概要について説明する。
図１６は、この発明の実施形態４に係る画像形成装置１Ａ〜１Ｃのネットワークスキャナの設定手順の概要を示す説明図である。
【００９６】
実施形態４は、複数台の画像形成装置１Ａ〜１Ｃに対し、１台のＰＣ２のネットワークスキャナ設定を行う点で、実施形態１〜３と異なる。
以下、実施形態４に係るネットワークスキャナ設定の大まかな流れを説明する。
【００９７】
（第１ステップ）
画像形成装置１Ａ〜１Ｃの接続端子１９１にＵＳＢメモリ３を順次接続し、タッチパネル１８２１の設定アイコン１８２１３（「簡単インストール」アイコン）を押すことにより、画像形成装置１Ａ〜１ＣのＩＰアドレス等の設定データおよび共有フォルダ設定プログラムをＵＳＢメモリ３に格納する。
【００９８】
（第２ステップ）
次に、ＰＣ２の接続端子２６１にＵＳＢメモリ３を接続し、ＵＳＢメモリ３内に格納された画像形成装置１Ａ〜１Ｃの共有フォルダ設定プログラムを順次実行することにより、共有フォルダ設定または確認が行われ、画像形成装置１Ａ〜１Ｃに対応するＰＣ２の共有フォルダ情報がＵＳＢメモリ３に格納される。
【００９９】
（第３ステップ）
最後に、画像形成装置１Ａ〜１Ｃの接続端子１９１にＵＳＢメモリ３を再び順次接続し、タッチパネル１８２１の設定アイコン１８２１３（「簡単インストール」アイコン）を押すことにより、対応するＰＣ２の共有フォルダ情報を読み出し、ネットワークスキャナの設定を行う。
【０１００】
このように、複数台の画像形成装置１Ａ〜１Ｃに対して１台のＰＣ２を設定する場合も、実施形態１と同様の手順でネットワークスキャナの設定を行うことができるため、ユーザーにとって設定が容易なネットワークスキャナの設定が実現できる。
また、ユーザーは、ＵＳＢメモリ３を所望の画像形成装置１Ａ〜１Ｃに接続することによって、設定を行いたい画像形成装置１Ａ〜１Ｃを選択することができる。
【０１０１】
（実施形態５）
次に、図１７に基づき、この発明の実施形態５に係る画像形成装置１Ａ、１Ｂのネットワークスキャナの設定手順の概要について説明する。
図１７は、この発明の実施形態５に係る画像形成装置１Ａ、１Ｂのネットワークスキャナの設定手順の概要を示す説明図である。
【０１０２】
実施形態５は、複数台の画像形成装置１Ａ、１Ｂに対し、複数台のＰＣ２Ａ〜２Ｃのネットワークスキャナ設定を行う点で、実施形態１〜４と異なる。
以下、実施形態５に係るネットワークスキャナ設定の大まかな流れを説明する。
【０１０３】
（第１ステップ）
画像形成装置１Ａ、１Ｂの接続端子１９１にＵＳＢメモリ３を順次接続し、タッチパネル１８２１の設定アイコン１８２１３（「簡単インストール」アイコン）を押すことにより、画像形成装置１Ａ、１ＢのＩＰアドレス等の設定データおよび共有フォルダ設定プログラムをＵＳＢメモリ３に格納する。
【０１０４】
（第２ステップ）
次に、ＰＣ２Ａ〜２Ｃの接続端子２６１にＵＳＢメモリ３を接続し、ＵＳＢメモリ３内に格納された画像形成装置１Ａ、１Ｂの共有フォルダ設定プログラムを順次実行することにより、共有フォルダ設定または確認が行われ、画像形成装置１Ａ、１Ｂに対応するＰＣ２Ａ〜２Ｃの共有フォルダ情報がＵＳＢメモリ３に格納される。
【０１０５】
（第３ステップ）
最後に、画像形成装置１Ａ、１Ｂの接続端子１９１にＵＳＢメモリ３を順次接続し、タッチパネル１８２１の設定アイコン１８２１３（「簡単インストール」アイコン）を押すことにより、対応するＰＣ２Ａ〜２Ｃの共有フォルダ情報を読み出し、ネットワークスキャナの設定を行う。
【０１０６】
このようにして、複数台の画像形成装置１Ａ、１Ｂに対して複数台のＰＣ２Ａ〜２Ｃがある場合も、実施形態１と同様の手順でネットワークスキャナの設定を行うことができるため、ユーザーにとって設定が容易なネットワークスキャナの設定が実現できる。
【０１０７】
また、例えば、ＰＣ２Ａのユーザーは、画像形成装置１Ａに対してのみネットワークスキャナの設定を行い、ＰＣ２Ｂのユーザーは、画像形成装置１Ｂに対してのみネットワークスキャナの設定を行い、ＰＣ２Ｃのユーザーは、画像形成装置１Ａおよび１Ｂの両方に対してネットワークスキャナの設定を行いたい場合なども考えられる。この場合、各ユーザーは、ＵＳＢメモリ３に格納された画像形成装置１Ａ、１Ｂに対応する２つのプログラムのうち、所望のプログラムのみを実行することによって、設定したい画像形成装置１Ａ、１Ｂを選択することができる。このように、ネットワークスキャナの設定の対象となる画像形成装置１Ａ、１Ｂがユーザーによって異なる場合も、容易にネットワークスキャナの設定を行うことができる。
【０１０８】
（その他の実施形態）
１．実施形態４において、複数の画像形成装置１とＰＣ２との間にネットワークスキャナを設定する場合、ＰＣ２での共有フォルダ設定プログラムの実行時に、チェックボックス等を用いて、ネットワークスキャナの設定を行いたい画像形成装置１をユーザーが選択できるようにしてもよい。（実施形態６）
【０１０９】
このようにすれば、複数の画像形成装置１Ａ、１ＢとＰＣ２との間にネットワークスキャナを設定する場合、チェックボックスを用いてネットワークスキャナの設定を行いたい画像形成装置１Ａ、１Ｂを選択することにより、共通のＵＳＢメモリ３を使用しつつ、簡便にネットワークスキャナの設定を行うことができる。
【０１１０】
以上に述べたように、
（i）この発明の画像形成装置は、操作部と、原稿を読み取り画像データを生成する画像読取部と、ネットワークを介して前記画像データを外部の情報処理装置に送信する通信部と、前記画像データを送信すべき共有フォルダを前記情報処理装置に設定し、かつ、前記共有フォルダの情報を前記情報処理装置に着脱可能に接続されたリムーバブル記憶装置に書き込む処理を前記情報処理装置に実行させるためのプログラムを保持する記憶部と、前記リムーバブル記憶装置を着脱可能に接続し、前記リムーバブル記憶装置のデータの読み書きを行うインターフェースと、前記操作部、前記画像読取部、前記通信部、前記記憶部および前記インターフェースを制御する制御部とを備え、前記制御部は、前記リムーバブル記憶装置が前記インターフェースに接続され、かつ、前記操作部から予め定められた書込指令を受け付けたとき、前記プログラムおよび前記画像データの送信元のアドレス情報を前記リムーバブル記憶装置に書き込み、前記プログラムは、前記リムーバブル記憶装置に保持された状態で前記情報処理装置に接続されて実行されたとき、前記情報処理装置に前記共有フォルダを設定し、かつ、前記共有フォルダの情報を前記リムーバブル記憶装置に書き込む処理を前記情報処理装置に実行させ、前記制御部は、前記共有フォルダの情報を保持した前記リムーバブル記憶装置が前記インターフェースに接続され、かつ、前記操作部から予め定められた設定指令を受け付けたとき、前記共有フォルダの情報に基づき、前記共有フォルダへのネットワークの接続を行うことを特徴とする。
また、この発明の画像形成装置は、操作部と、原稿を読み取り画像データを生成する画像読取部と、ネットワークを介して前記画像データを外部の情報処理装置に送信する通信部と、前記画像データを送信すべき共有フォルダを前記情報処理装置に設定し、かつ、前記共有フォルダの情報を前記情報処理装置に着脱可能に接続されたリムーバブル記憶装置に書き込む処理を前記情報処理装置に実行させるためのプログラムを保持する記憶部と、前記リムーバブル記憶装置を着脱可能に接続し、前記リムーバブル記憶装置のデータの読み書きを行うインターフェースと、前記操作部、前記画像読取部、前記通信部、前記記憶部および前記インターフェースを制御する制御部とを備え、前記制御部は、前記リムーバブル記憶装置が前記インターフェースに接続され、かつ、前記操作部から予め定められた指令を受け付けたとき、前記リムーバブル記憶装置が前記共有フォルダの情報を保持しているか否かをチェックし、前記リムーバブル記憶装置が前記共有フォルダの情報を保持している場合、前記共有フォルダの情報に基づき、前記共有フォルダへのネットワークの接続を行い、一方、前記リムーバブル記憶装置が前記共有フォルダの情報を保持していない場合、前記リムーバブル記憶装置に前記プログラムおよび前記画像データの送信元のアドレス情報を書き込むことを特徴とする。
また、この発明のネットワークスキャナ設定方法は、ネットワークを介して画像形成装置で読み取った画像データを外部の情報処理装置に送信するための設定を行うネットワークスキャナ設定方法であって、画像形成装置のインターフェースにリムーバブル記憶装置が接続され、かつ、予め定められた指令を受け付けたとき、前記情報処理装置に実行させるためのプログラムおよび前記画像データの送信元のアドレス情報を前記リムーバブル記憶装置に書き込み、前記リムーバブル記憶装置が前記情報処理装置に接続されて前記プログラムが実行されたとき、前記情報処理装置に共有フォルダを設定し、かつ、前記共有フォルダの情報を前記リムーバブル記憶装置に書き込み、前記共有フォルダの情報を保持した前記リムーバブル記憶装置が前記インターフェースに接続され、かつ、操作部から予め定められた指令を受け付けたとき、前記共有フォルダの情報に基づき、前記共有フォルダへのネットワークの接続を行うことを特徴とする。
【０１１１】
この発明において、「画像形成装置」は、スキャナ、またはスキャナを備えた複合機など、原稿を読み取る画像読取機能およびネットワークを介して外部の情報処理装置に読み取った画像データを送信する送信機能を備えた装置である。
「情報処理装置」は、パーソナルコンピュータ（ＰＣ）やタブレット端末、スマートフォンなどの情報を処理する装置であり、画像形成装置から送信された画像データを受信する通信機能を有する。
「リムーバブル記憶装置」は、画像形成装置または情報処理装置に着脱可能な外部記憶装置の記憶媒体である。例えば、ＵＳＢメモリやハードディスクなどが挙げられる。
【０１１２】
さらに、この発明の好ましい態様について説明する。
（ii）この発明による画像形成装置において、前記プログラムは、前記リムーバブル記憶装置に保持された状態で２以上の前記情報処理装置に順次接続されて実行されたとき、前記２以上の情報処理装置にそれぞれ対応する前記共有フォルダを設定し、かつ、前記２以上の情報処理装置にそれぞれ対応する前記共有フォルダの情報を前記リムーバブル記憶装置に書き込む処理を前記２以上の情報処理装置に実行させ、前記制御部は、前記２以上の共有フォルダの情報を保持した前記リムーバブル記憶装置が前記インターフェースに接続され、かつ、前記操作部から予め定められた指令を受け付けたとき、前記２以上の共有フォルダの情報に基づき、前記２以上の共有フォルダへのネットワークの接続を行うものであってもよい。
【０１１３】
このようにすれば、１台の画像形成装置に対して複数台の情報処理装置を設定する場合も、それぞれの情報処理装置でプログラムを実行した後、画像形成装置にＵＳＢメモリを接続して、１回操作を行うだけで各共有フォルダの設定を一括して行うため、ユーザーにとってネットワークスキャナの設定が容易な画像形成装置を実現できる。
【０１１４】
（iii）この発明による画像形成装置において、前記リムーバブル記憶装置が、２以上の前記画像形成装置に係る２以上のプログラムを保持している場合、前記プログラムは、前記２以上のプログラムのうち、いずれのプログラムを実行すべきかを選択させる設定画面を表示させる処理を前記情報処理装置に実行させるものであってもよい。
【０１１５】
このようにすれば、複数の画像形成装置と１台の情報処理装置との間にネットワークスキャナを設定する場合、例えば、チェックボックスを用いてネットワークスキャナの設定を行いたい画像形成装置を選択することにより、共通のリムーバブル記憶装置を使用しつつ、簡便にネットワークスキャナの設定を行うことができる。
【０１１６】
「設定画面」としては、例えば、２以上の画像形成装置に係る２以上のプログラムのうち、どのプログラムを実行すべきかを選択するチェックボックス等の画面が挙げられる。
【０１１７】
（iv）この発明による画像形成装置において、前記制御部は、前記共有フォルダへのネットワークの接続を行った後、前記共有フォルダに係る前記プログラムおよび前記共有フォルダ情報を前記リムーバブル記憶装置から削除するものであってもよい。
【０１１８】
このようにすれば、ネットワークスキャナの設定が完了した後、リムーバブル記憶装置に保持されたプログラムおよび共有フォルダ情報が自動的に削除されるため、これらを削除する手間を省くことができる。
【０１１９】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１２０】
１，１Ａ，１Ｂ，１Ｃ：画像形成装置、    １Ｄ：デジタル複合機、    ２，２Ａ，２Ｂ，２Ｃ：ＰＣ、    ３，３Ａ，３Ｂ：ＵＳＢメモリ、    ４：ネットワーク、    １０，２０，３０：制御部、    １１：画像読取部、    １２：画像形成部、    １３，２１，３１：記憶部、    １４，２２：画像処理部、    １５，２３：通信部、    １６：給紙部、    １７：計時部、    １８：パネルユニット、    １９，２６：ＵＳＢ Ｉ／Ｆ部、    ２４，１８１：表示部、    ２５，１８２：操作部、    ３２，１９１，２６１：接続端子、    １００：ネットワークスキャナシステム、    １２１：ＬＳＵ、    １８２１：タッチパネル、    １８２１１：第１設定アイコン、    １８２１２：第２設定アイコン、    １８２１３：設定アイコン、    １８２２：表示操作部、    １８２２１：表示灯、    １８２２２：電源キー、    １８２２３：節電キー、    １８２２４：ホームキー
【図１】
0006605837.tif 000002
【図２】
0006605837.tif 000003
【図３】
0006605837.tif 000004
【図４】
0006605837.tif 000005
【図５】
0006605837.tif 000006
【図６】
0006605837.tif 000007
【図７】
0006605837.tif 000008
【図８】
0006605837.tif 000009
【図９】
0006605837.tif 000010
【図１０】
0006605837.tif 000011
【図１１】
0006605837.tif 000012
【図１２】
0006605837.tif 000013
【図１３】
0006605837.tif 000014
【図１４】
0006605837.tif 000015
【図１５】
0006605837.tif 000016
【図１６】
0006605837.tif 000017
【図１７】
0006605837.tif 000018